【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
ウェブベースのアプリケーションのためのユーザインターフェイスとして機能するデスクトップアプリケーションのドキュメントを作成するための方法であって、
そのコンテンツが第２のアプリケーションに関連付けられるネイティブアプリケーションフォーマットで作成されたドキュメントであることを示す情報をコンピュータシステムにて第１のアプリケーションから受け取ることと、
前記ドキュメントについてのメタデータに関連付けられるルールのセットを前記コンピュータシステムによって決定することとを含み、前記メタデータは、前記ドキュメントのコンテンツの部分と、前記第１のアプリケーションと通信する１つ以上のウェブベースのアプリケーションによって提供されるデータモデルに関連付けられるデータとの間のリンクを提供し、前記方法はさらに、
前記ドキュメントについての前記メタデータに適用されるようにカスタマイゼーションを構成する前記ルールの決定されたセットに基づいて、前記ドキュメントについてのメタデータを前記コンピュータシステムによって生成することと、
前記ドキュメントが前記１つ以上のウェブベースのアプリケーションのためのユーザインターフェイスとして機能するように、前記コンピュータシステムから前記第２のアプリケーションに前記ドキュメントについての前記メタデータを通信することとを含む、方法。
【請求項２】
前記ドキュメントについての前記メタデータに関連付けられる前記ルールのセットを前記コンピュータシステムによって決定することは、使用するべき前記ドキュメントについての前記メタデータのバージョンを規定する少なくとも１つのルールを決定することを含む、請求項１に記載の方法。
【請求項３】
前記ドキュメントについての前記メタデータに関連付けられる前記ルールのセットを前記コンピュータシステムによって決定することは、前記ドキュメントのユーザに関連付けられる役割に基づいて、使用するべき前記ドキュメントについての前記メタデータを規定する少なくとも１つのルールを決定することを含む、請求項１に記載の方法。
【請求項４】
前記ドキュメントについての前記メタデータに関連付けられる前記ルールのセットを前記コンピュータシステムによって決定することは、時間または日付情報に基づいて、使用するべき前記ドキュメントについて前記メタデータを規定する少なくとも１つのルールを決定することを含む、請求項１〜３のいずれか１項に記載の方法。
【請求項５】
前記ドキュメントについての前記メタデータに関連付けられる前記ルールのセットを前記コンピュータシステムによって決定することは、組織の部門に基づいて、使用するべき前記ドキュメントについての前記メタデータを規定する少なくとも１つのルールを決定することを含む、請求項１〜４のいずれか１項に記載の方法。
【請求項６】
前記ドキュメントについての前記メタデータに関連付けられる前記ルールのセットを前記コンピュータシステムによって決定することは、メタデータ管理サーバから１つ以上のルールを抽出することを含む、請求項１〜５のいずれか１項に記載の方法。
【請求項７】
前記ドキュメントについての前記メタデータに適用されるようにカスタマイゼーションを構成する前記ルールの決定されたセットに基づいて、前記ドキュメントについての前記メタデータを前記コンピュータシステムによって生成することは、前記ドキュメントについてのベースメタデータに複数のメタデータカスタマイゼーションを適用することを含む、請求項１〜６のいずれか１項に記載の方法。
【請求項８】
ウェブベースのアプリケーションのためのユーザインターフェイスとして機能するデスクトップアプリケーションのドキュメントを作成するためのコンピュータ実行可能コードを含むコンピュータ読取可能プログラムであって、
そのコンテンツが第２のアプリケーションに関連付けられるネイティブアプリケーションフォーマットで作成されたドキュメントであることを示す情報をコンピュータシステムにて第１のアプリケーションから受け取るためのコードと、
前記ドキュメントについてのメタデータに関連付けられるルールのセットを前記コンピュータシステムによって決定するためのコードとを含み、前記メタデータは、前記ドキュメントのコンテンツの部分と、前記第１のアプリケーションと通信する１つ以上のウェブベースのアプリケーションによって提供されるデータモデルに関連付けられるデータとの間のリンクを提供し、さらに、
前記ドキュメントについての前記メタデータに適用されるようにカスタマイゼーションを構成する前記ルールの決定されたセットに基づいて、前記ドキュメントについてのメタデータを前記コンピュータシステムによって生成するためのコードと、
前記ドキュメントが前記１つ以上のウェブベースのアプリケーションのためのユーザインターフェイスとして機能するように、前記コンピュータシステムから前記第２のアプリケーションに前記ドキュメントについての前記メタデータを通信するためのコードとを含む、コンピュータ読取可能プログラム。
【請求項９】
請求項１〜８のいずれか１項に記載の方法をコンピュータシステムに実行させるためのコンピュータ実行可能コードを含むコンピュータ読取可能プログラム。
【請求項１０】
ウェブベースのアプリケーションのためのユーザインターフェイスとして機能するデスクトップアプリケーションのドキュメントを作成するためのシステムであって、
プロセッサと、
指示のセットを格納するメモリとを含み、
前記指示のセットは、前記プロセッサによって実行されると、
そのコンテンツが第２のアプリケーションに関連付けられるネイティブアプリケーションフォーマットで作成されたドキュメントであることを示す情報を第１のアプリケーションから受け取り、
前記ドキュメントについてのメタデータに関連付けられるルールのセットを決定するように前記プロセッサを構成し、前記メタデータは、前記ドキュメントのコンテンツの部分と、前記第１のアプリケーションと通信する１つ以上のウェブベースのアプリケーションによって提供されるデータモデルに関連付けられるデータとの間のリンクを提供し、さらに
前記ドキュメントについての前記メタデータに適用されるようにカスタマイゼーションを構成する前記ルールの決定されたセットに基づいて、前記ドキュメントについてのメタデータを生成し、
前記ドキュメントが前記１つ以上のウェブベースのアプリケーションのためのユーザインターフェイスとして機能するように、前記第２のアプリケーションに前記ドキュメントについての前記メタデータを通信するように前記プロセッサを構成する、システム。
【請求項１１】
前記ドキュメントについての前記メタデータに関連付けられる前記ルールのセットを決定するために、前記プロセッサは、使用するべき前記ドキュメントについての前記メタデータのバージョンを規定する少なくとも１つのルールを決定するように構成される、請求項１０に記載のシステム。
【請求項１２】
前記ドキュメントについての前記メタデータに関連付けられる前記ルールのセットを決定するために、前記プロセッサは、前記ドキュメントのユーザに関連付けられる役割に基づいて、使用するべき前記ドキュメントについての前記メタデータを規定する少なくとも１つのルールを決定するように構成される、請求項１０または１１に記載のシステム。
【請求項１３】
前記ドキュメントについての前記メタデータに関連付けられる前記ルールのセットを決定するために、前記プロセッサは、時間または日付情報に基づいて、使用するべき前記ドキュメントについての前記メタデータを規定する少なくとも１つのルールを決定するように構成される、請求項１０〜１２のいずれか１項に記載のシステム。
【請求項１４】
前記ドキュメントについての前記メタデータに関連付けられる前記ルールのセットを決定するために、前記プロセッサは、組織の部門に基づいて、使用するべき前記ドキュメントについての前記メタデータを規定する少なくとも１つのルールを決定するように構成される、請求項１０〜１３のいずれか１項に記載のシステム。
【請求項１５】
前記ドキュメントについての前記メタデータに関連付けられる前記ルールのセットを決定するために、前記プロセッサは、メタデータ管理サーバから１つ以上のルールを抽出するように構成される、請求項１０〜１４のいずれか１項に記載のシステム。
【請求項１６】
前記ドキュメントについての前記メタデータに適用されるようにカスタマイゼーションを構成する前記ルールの決定されたセットに基づいて前記ドキュメントについての前記メタデータを生成するために、前記プロセッサは、前記ドキュメントについてベースメタデータに複数のメタデータカスタマイゼーションを適用するように構成される、請求項１０〜１５のいずれか１項に記載のシステム。